(57)【特許請求の範囲】
【請求項１】
外部からの引込線に接続した主分電盤（１０）から電力を必要とする区画毎に設けた副分電盤（２０ａ〜ｄ）を経由して周回する電線（４）で構成される配線構造であって、前記主分電盤（１０）から前記副分電盤のうちの最後の副分電盤（２０ｄ）までを前記電線で接続して主配線とし、前記最後の副分電盤（２０ｄ）から前記主分電盤（１０）までは、当該最後の副分電盤（２０ｄ）に接続した電線の主分電盤側を開放した予備配線とし、前記主配線に異常が発生したとき前記最後の副分電盤（２０ｄ）に接続した電線の主分電盤側を接続することにより前記予備配線を主配線とすることを特徴とする配線構造。
【請求項２】
外部からの引込線に接続した主分電盤（１０）から電力を必要とする区画毎に設けた副分電盤（２０ａ〜ｄ）を経由して周回する電線（４）で構成される配線構造であって、前記主分電盤（１０）から前記副分電盤のうちの最後の副分電盤（２０ｄ）までを前記電線で接続して主配線とし、前記最後の副分電盤（２０ｄ）から前記主分電盤（１０）までは電線を省略して非接続の予備配線とし、前記主配線に異常が発生したとき前記最後の副分電盤（２０ｄ）と前記主分電盤（１０）との間を電線で接続することにより前記予備配線を主配線とすることを特徴とする配線構造。
【請求項３】
請求項１又は２記載の配線構造において、前記主分電盤（１０）は一対の送り配線保護用端子（１４ａ，１４ｂ）を備え、一方の送り配線保護用端子（１４ａ）には、前記複数の副分電盤（２０ａ〜ｄ）を周回する電線の入力端を接続し、他方の送り配線保護用端子（１４ｂ）には、前記主配線に異常が発生したとき前記最後の副分電盤（２０ｄ）と前記主分電盤（１０）との間を接続する電線を接続可能に構成したことを特徴とする配線構造。
【請求項４】
請求項１乃至３のいずれか記載の配線構造において、前記各区画では前記副分電盤から電気機器へ給電するように構成したことを特徴とする配線構造。
【発明の詳細な説明】
【０００１】
【発明の属する技術分野】
本発明は、一般住宅やビルその他の建築物（以下「住宅等」という）の各部屋のように電力を必要とする区画に給電するための配線構造に関する。
【０００２】
【従来の技術】
コンピュータやその周辺機器或いは家電製品の普及に伴い、住宅等で必要とされる電源の需要が益々増大しているが、住宅等における給電設備の殆どは新築時のままであり、生活水準の向上に伴って増大する電気機器に対し、給電設備の末端に位置する給電口（コンセント）を増設することは容易でないのが現状である。その結果、人が電気機器を購入する度に既設のコンセントから所謂タコ足配線で各電気機器に給電するのが通常である。それでも足りない場合、或いは給電回路の増設が可能な場合は、外の電柱等からの引込線に接続した主分電盤からコンセントが必要な部屋までの配線を増やす工事が行われている。
【０００３】
【発明が解決しようとする課題】
しかしながら、従来のタコ足配線には、コンセントを流れる電流がその許容値を越える危険をもたらすという問題がある。一方、主分電盤からの配線の増設は、住宅の状況によっては不可能な場合がある。また、そのような増設その他の工事により、既存の電力ケーブル等の電線による配線を損傷したり切断してしまう場合もあり得るが、従来の配線構造では、損傷或いは切断した電線に接続しているコンセントや電気機器への給電が停止することとなる。
【０００４】
本発明の目的は、住宅等において給電回路の増設が容易にできると共に電線の損傷や断線が生じても電力供給を確保できる配線構造を提供することである。
【０００５】
【課題を解決するための手段】
本発明は、外部からの引込線に接続した主分電盤から電力を必要とする区画毎に設けた副分電盤を経由して周回する電線で構成される配線構造であって、主分電盤から最後の副分電盤までを電線で接続して主配線とし、最後の副分電盤から前記主分電盤までは当該最後の副分電盤に接続した電線の主分電盤側を開放した予備配線とし、前記主配線に異常が発生したとき最後の副分電盤に接続した電線の主分電盤側を接続することにより前記予備配線を主配線とすることを特徴とする。
【０００６】
本発明のもう１つの態様は、最後の副分電盤から主分電盤までは電線を省略して非接続の予備配線とし、前記主配線に異常が発生したとき最後の副分電盤と主分電盤との間を電線で接続することにより前記予備配線を主配線とすることを特徴とする。
【０００７】
本発明の実施態様では、主分電盤は一対の送り配線保護用端子を備え、一方の送り配線保護用端子には、複数の副分電盤を周回する電線の入力端を接続し、他方の送り配線保護用端子には、前記主配線に異常が発生したとき最後の副分電盤と主分電盤との間を接続する電線を接続可能に構成される。また、各区画では副分電盤から各種電気機器へ給電する。
【０００８】
【作用及び効果】
本発明によれば、主分電盤から各区画へ給電する電線が各区画毎に設けた副分電盤を周回する構成であるから、副分電盤から各種電気機器への給電が可能である。また、上記主配線のいずれかの箇所で電線の損傷や断線のような異常が発生した場合、その発生箇所から先の電線に接続した副分電盤への給電が止まってしまうが、上記予備配線を通常の配線、即ち主配線とすることにより、給電を回復することができる。
すなわち、第１の発明では、最後の副分電盤に接続した電線の主分電盤側を開放していた予備配線の部分が、最後の副分電盤に接続した電線の主分電盤側を接続するだけで、主分電盤から最後の副分電盤を経由して逆方向に周回する配線での給電が可能な主配線となり、異常が発生した箇所の電線に接続した副分電盤への給電が回復する。
また、第２の発明では、最後の副分電盤から主分電盤まで電線を省略して非接続としていた予備配線の部分が、最後の副分電盤と主分電盤との間を電線で接続さえすれば、同様に主分電盤から最後の副分電盤を経由して逆方向に周回する配線での給電が可能な主配線となる。いずれの発明も、簡単な作業で配線を回復させることができる。
【０００９】
更に、本発明によれば、住宅等の新築時に、主分電盤から各区画を周回する配線（主配線）に容量の大きい電線を使用することにより、将来の電力使用量の増大に容易に対処できる。例えば、上記のように配線した住宅の或る部屋で使用する電気機器を増設する際には、副分電盤の給電口を必要な数だけ増やせばよい。すなわち、従来のようにコンセントの数が足りないか或いは規定の容量を超えてしまう場合でも、主分電盤からその部屋までの配線を増やす工事をする必要がない。
【００１０】
【発明の実施の形態】
図１は、本発明の配線方法によって実現された配線構造の一実施例を示す図である。図示の配線構造は、住宅等において、外部からの引込線１に電力計２及び後続の引込線３を介して接続した主分電盤１０から各部屋等の区画へ給電するための主配線を構成する電線４を、各区画毎に設けた複数（この場合４つ）の副分電盤２０ａ〜２０ｄを順次経由して周回し、最後の副分電盤２０ｄから主分電盤１０までを予備配線としたものである。この予備配線とは、円Ｃで囲んで示すように、最後の副分電盤２０ｄから延びた電線４の端を開放する（すなわち、主分電盤側を非接続状態とする）か、或いは最後の副分電盤２０ｄから主分電盤１０までの電線４を省略する（この区間だけ実際には配線しない）ことである。
【００１１】
この配線構造において、主分電盤１０は、引込線３に接続した主幹漏電ブレーカ１１と、これに接続した単相３線式の主幹バー１２と、この主幹バー１２に接続した複数（例えば６〜８個）の３線式分岐ブレーカ１３と、主幹バー１２の出力端に前記電線４を接続するための一対の送り配線保護用端子１４ａ及び１４ｂとを備えている。ここで、一方の送り配線保護用端子１４ａには、複数の副分電盤２０ａ〜２０ｄに対しこの順番で周回する電線４の入力端を接続し、他方の送り配線保護用端子１４ｂには、前述のように主配線に断線等の異常が生じたとき、上記の予備配線として設けられた電線４を接続するようになっており、この接続により最後の副分電盤２０ｄ側から電力を供給することができる。
【００１２】
上記の主幹漏電ブレーカ１１と分岐ブレーカ１３は、図２に示すように構成されている。すなわち、主幹漏電ブレーカ１１は、単相３線式の引込線３と主幹バー１２とを接続し又は接続を切る３つの並列スイッチ１１Ａ，１１Ｂ，１１Ｃから成り、各スイッチのオン・オフで３ライン（電圧側電線Ｌ1，Ｌ2及び中性線Ｎ）をそれぞれ接続／切断する。
【００１３】
また、分岐ブレーカ１３は、その入力側を主幹バー１２の３線のうちの２本にそれぞれ接続した２つの並列スイッチ１３Ａ，Ｂから成り、その出力側端子は、電気機器に給電する回路に接続される。図２においては、３つの分岐ブレーカ１３ａ，１３ｂ，１３ｃが、各々主幹バー１２の電圧側電線Ｌ1，Ｌ2及び中性線Ｎのうちの異なる２本に接続されている。
【００１４】
一方、複数個の副分電盤２０ａ〜２０ｄは、それぞれ、主配線を構成する３本の電線４を接続する端子台２１と、これに接続した単相３線式の主幹バー２２と、この主幹バー２２に接続した複数（例えば３〜４個）の分岐ブレーカ２３とを備えている。ここで、主幹バー２２及び分岐ブレーカ２３は、それぞれ主分電盤１０の主幹バー１２及び分岐ブレーカ１３と同じ構成を有する。そして、分岐ブレーカ２３の出力側端子は、電気機器に給電する回路に接続される。
【００１５】
端子台２１は、図３に示すように、３本の電線４の途中に割り込んで各電線の端子間を接続する結線構造を有し、その一方の端子側から主幹バー２２を分岐させている。
【００１６】
上記のように構成された配線構造では、主配線が主分電盤１０から各区画毎の副分電盤２０ａ〜２０ｄを順次経由して周回し、最後の副分電盤２０ｄから主分電盤１０までは予備配線となっているので、主分電盤１０から副分電盤２０ａ〜２０ｄを介して、各副分電盤に接続した電気機器に、各ブレーカの許容値に応じた電力を供給することができる。
【００１７】
ここで、前述のように何らかの工事によって主配線を損傷し或いは切断した場合を考える。例えば、図１に×印で示すように、副分電盤２０ｂと２０ｃの間で断線が生じた場合は、その×印の箇所から先の電線４に接続した副分電盤２０ｃ及び２０ｄへの給電が止まってしまう。
【００１８】
このとき、予備配線としていた最後の副分電盤２０ｄと主分電盤１０との間を電線４で接続することにより、主分電盤１０から最後の副分電盤２０ｄを経由して逆方向に周回する配線での給電が可能となる。これにより、異常の発生によって給電が停止した副分電盤２０ｃ及び２０ｄへの給電が回復する。
【００１９】
以上、図示の実施例について説明したが、本発明は上記実施例に限らず、前述の目的を達成する配線構造を実現できるものであればよい。
【図面の簡単な説明】
【図１】本発明の実施例を示す配線図。
【図２】主分電盤を構成する主幹漏電ブレーカと分岐ブレーカの例を示す図。
【図３】副分電盤に用いられる端子台の構成を示す図。
【符号の説明】
１…引込線、２…電力計、３…引込線、４…電線、１０…主分電盤、１１…主幹漏電ブレーカ、１２…主幹バー、１３…分岐ブレーカ、２０…副分電盤、２１…端子台、２２…主幹バー、２３…分岐ブレーカ。
【図１】
0003947442.tif 000002
【図２】
0003947442.tif 000003
【図３】
0003947442.tif 000004